(57)【要約】【課題】無線端末のＲＮＣ間移動が発生しても、ＲＮＣにおいて、正確にＭＢＭＳサービスのデータ受信予定の端末数を把握可能とする。【解決手段】無線端末２０がＭＢＭＳサービスへジョイント（サービスへの加入）を行ってから、実際にサービスデータ受信を行うまでの間に、ＲＮＣ間移動が発生した場合、当該無線端末２０から移動先ＲＮＣ５に対して、少なくとも移動元ＲＮＣ４を特定するための識別情報を通知する（ステップＳ１１）。そして、移動先ＲＮＣ５では、この通知された識別情報で特定されるＲＮＣ４へ当該ＵＥがセルを離脱したことを知らせる（ステップＳ１３）。これにより、移動元及び移動先の双方のＲＮＣ４，５は、当該サービスを受ける無線端末の数を正確に把握可能となり、ＰｔＰ方式とするかＰｔＭ方式とするかの決定が正確に行える。【選択図】      図２
2004221758.tif 000002
【特許請求の範囲】
【請求項１】
同一サービスのデータを複数の無線端末へ配信する機能を有する移動通信システムであって、
サービスに加入した無線端末の無線制御装置間移動に伴って、移動先無線制御装置から移動元無線制御装置へ前記無線端末の移動を報告するようにしたことを特徴とする移動通信システム。
【請求項２】
前記無線制御装置間移動は、前記無線端末のサービス加入後からデータ受信までの間の移動であることを特徴とする請求項１記載の移動通信システム。
【請求項３】
前記移動元無線制御装置は、前記報告を受けて前記サービスに加入中の無線端末の数を減じて更新するようにしたことを特徴とする請求項１または２記載の移動通信システム。
【請求項４】
前記移動先無線制御装置は、前記サービスに加入中の無線端末の数を増加更新するようにしたことを特徴とする請求項１〜３いずれか記載の移動通信システム。
【請求項５】
前記移動先無線制御装置は、前記サービスのデータの配信のための共通チャネルを既に設定しており、無線制御装置間移動の無線端末に対して前記共通チャネルを設定するようにしたことを特徴とする請求項４記載の移動通信システム。
【請求項６】
前記移動先無線制御装置は、前記サービスのデータ配信のための個別チャネルを当該サービスに加入済の無線端末に既に設定しており、前記無線端末の更新数に従って、前記サービスのデータ配信のために、前記個別チャネルから共通チャネルへ切替える判定をなすようにしたことを特徴とする請求項４記載の移動通信システム。
【請求項７】
前記移動先無線制御装置は、前記判定において、前記更新数と所定値との比較を行って、前記更新数が前記所定値より小の場合に、前記無線制御装置間移動の無線端末に対して個別チャネルを設定するようにしたことを特徴とする請求項６記載の移動通信システム。
【請求項８】
前記移動先無線制御装置は、前記判定において、前記更新数と所定値との比較を行って、前記更新数が前記所定値以上の場合に、前記サービスに加入済の無線端末及び前記無線制御装置間移動の無線端末に対して共通チャネルを設定するようにしたことを特徴とする請求項６記載の移動通信システム。
【請求項９】
同一サービスのデータを複数の無線端末へ配信する機能を有する移動通信システムにおける無線制御装置であって、
サービスに加入した無線端末が配下のセルへ移動してきたとき、移動元無線制御装置へ前記無線端末の移動を報告する手段を含むことを特徴とする無線制御装置。
【請求項１０】
前記無線端末のセルへの移動は、前記無線端末のサービス加入後からデータ受信までの間の移動であることを特徴とする請求項１記載の無線制御装置。
【請求項１１】
前記サービスに加入中の無線端末の数を増加更新する手段を、更に含むことを特徴とする請求項９または１０記載の無線制御装置。
【請求項１２】
前記サービスのデータの配信のための共通チャネルを既に設定しており、セル移動の無線端末に対して前記共通チャネルを設定する手段を、更に含むことを特徴とする請求項１１記載の無線制御装置。
【請求項１３】
前記サービスのデータ配信のための個別チャネルを当該サービスに加入済の無線端末に既に設定しており、前記無線端末の更新数に従って、前記サービスのデータ配信のために、前記個別チャネルから共通チャネルへ切替える判定をなす手段を、更に含むことを特徴とする請求項１１記載の無線制御装置。
【請求項１４】
前記判定において、前記更新数と所定値との比較を行って、前記更新数が前記所定値より小の場合に、前記セル移動の無線端末に対して個別チャネルを設定するようにしたことを特徴とする請求項１３記載の無線制御装置。
【請求項１５】
前記判定において、前記更新数と所定値との比較を行って、前記更新数が前記所定値以上の場合に、前記サービスに加入済の無線端末及び前記セル移動の無線端末に対して共通チャネルを設定するようにしたことを特徴とする請求項１３記載の無線制御装置。
【請求項１６】
同一サービスのデータを複数の無線端末へ配信する機能を有する移動通信システムにおける無線制御装置の動作制御方法であって、
サービスに加入した無線端末が配下のセルへ移動してきたとき、移動元無線制御装置へ前記無線端末の移動を報告するステップを含むことを特徴とする動作制御方法。
【請求項１７】
前記無線端末のセルへの移動は、前記無線端末のサービス加入後からデータ受信までの間の移動であることを特徴とする請求項１６載の動作制御方法。
【請求項１８】
前記サービスに加入中の無線端末の数を増加更新するステップを、更に含むことを特徴とする請求項１６または１７記載の動作制御方法。
【請求項１９】
前記サービスのデータの配信のための共通チャネルを既に設定しており、セル移動の無線端末に対して前記共通チャネルを設定するステップを、更に含むことを特徴とする請求項１８記載の動作制御方法。
【請求項２０】
前記サービスのデータ配信のための個別チャネルを当該サービスに加入済の無線端末に既に設定しており、前記無線端末の更新数に従って、前記サービスのデータ配信のために、前記個別チャネルから共通チャネルへ切替える判定をなすステップを、更に含むことを特徴とする請求項１８記載の動作制御方法。
【請求項２１】
前記判定において、前記更新数と所定値との比較を行って、前記更新数が前記所定値より小の場合に、前記セル移動の無線端末に対して個別チャネルを設定するようにしたことを特徴とする請求項２０記載の動作制御方法。
【請求項２２】
前記判定において、前記更新数と所定値との比較を行って、前記更新数が前記所定値以上の場合に、前記サービスに加入済の無線端末及び前記セル移動の無線端末に対して共通チャネルを設定するようにしたことを特徴とする請求項２０記載の動作制御方法。
【請求項２３】
同一サービスのデータを複数ユーザへ配信する機能を有する移動通信システムにおける無線端末であって、
サービス加入後における無線制御装置間移動に応答して、移動元の無線制御装置を特定する識別情報を、移動先無線制御装置へ送信する手段を含むことを特徴とする無線端末。
【請求項２４】
同一サービスのデータを複数の無線端末へ配信する機能を有する移動通信システムにおける無線制御装置の動作制御方法をコンピュータにより実行させるためのプログラムであって、
サービスに加入した無線端末が配下のセルへ移動してきたとき、移動元無線制御装置へ前記無線端末の移動を報告するステップを含むことを特徴とするコンピュータ読取り可能なプログラム。
【発明の詳細な説明】
【０００１】
【発明の属する技術分野】
本発明は移動通信システム及びそれに用いる無線端末並びに無線制御装置及びその動作制御方法に関し、特に音声や画像などの大容量コンテンツを有する同一のサービスデータを複数の無線端末（ユーザ）へ配信する機能を有する移動通信システム及びそれに用いる無線端末並びに無線制御装置及びその動作制御方法に関するものである。
【０００２】
【従来の技術】
移動通信システムにおいては、複数の無線端末に対して、音声や画像を含む大容量の同一コンテンツのデータを配信するサービスがあり、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）と称されている。このようなＭＢＭＳ機能のための概略ブロック図を図５に示している。図５を参照すると、ＢＭＳＣ（Ｂｒｏａｄｃａｓｔ  Ｍｕｌｔｉｃａｓｔ  Ｓｅｒｖｉｃｅ  Ｃｅｎｔｅｒ）１はＩＰ（Ｉｎｔｅｒｎｅｔ  Ｐｒｏｔｏｃｏｌ  ）網３０に接続されると共に、ＧＧＳＮ（Ｇａｔｅｗａｙ  ＧＰＲＳ（Ｇｅｎｅｒａｌ  Ｐａｃｋｅｔ  Ｓｅｒｖｉｃｅ）  Ｓｕｐｐｏｒｔ  Ｎｏｄｅ  ）２及びＳＧＳＮ（Ｓｅｒｖｉｎｇ  ＧＰＲＳ  Ｓｕｐｐｏｒｔ  Ｎｏｄｅ  ）３を介して複数のＲＮＣ（Ｒａｄｉｏ  Ｎｅｔｗｏｒｋ  Ｃｏｎｔｒｏｌｌｅｒ：無線制御装置）４，５へ接続されている。
【０００３】
ＲＮＣ４はその配下にＮｏｄｅＢ（無線基地局）６，７を有し、またＲＮＣ５はその配下にＮｏｄｅＢ８を有している。ＮｏｄｅＢ６〜８はそれぞれサービスエリアである１つまたは複数のセル９〜１１をカバーするようになっているが、図では、簡単化のために、各ＮｏｄｅＢは１つのセルをカバーするように示している。２０はＵＥ（ユーザイクイップメント）であり、無線端末を示す。
【０００４】
なお、ＳＧＳＮ３とＲＮＣ４，５との間のインタフェースはＩｕと称され、またＲＮＣ４，５とＮｏｄｅＢ６〜８との間のインタフェースはＩｕｂと称されている。更に、ＲＮＣ間のインタフェースとしてＩｕｒも存在している。
【０００５】
図５に示したＵＥ２０が上述したＭＢＭＳサービスデータの配信を希望する場合には、このＵＥ２０とＢＭＳＣ１との間で、図６に示す手順が実行される。すなわち、ＵＥ２０から当該サービスへの入会申し込みのための“ＳＵＢＳＣＲＩＰＴＩＯＮ”（ステップＳ１）が発生され、ＲＮＣ４を経てＢＭＳＣ１へ送信される。そして、ＢＭＳＣ１からサービスの告知のための“ＳＥＲＶＩＣＥ  ＡＮＮＯＵＮＣＥＭＥＮＴ”（ステップＳ２）が送信され、これに応答して、ＵＥ２０からサービス参加要求のための“ＪＯＩＮＩＮＧ  ”（ステップＳ３）が送出されると、ＢＭＳＣ１からＲＮＣ４へ、ＭＢＭＳのためのベアラ設定である“ＭＢＭＳ  ＭＵＬＴＩＣＡＳＴ  ＭＯＤＥ  ＢＥＡＲＥＲ  ＳＥＴ  ＵＰ  ”（ステップＳ４）が行われる。
【０００６】
そして、ＢＭＳＣ１からＲＮＣ４へ当該ＭＢＭＳのデータが送信されると（ステップＳ５）、ＲＮＣ４から、ＭＢＭＳを通知する“ＭＢＭＳ  ＮＯＴＩＦＩＣＡＴＩＯＮ  ”（ステップＳ６）が送信される。しかる後に、データがＵＥ２０へ配信されるのである（ステップＳ７）。全てのデータ配信が終了すると、ＢＭＳＣ１からベアラ開放のための“ＭＢＭＳ  ＭＵＬＴＩＣＡＳＴ  ＭＯＤＥ  ＢＥＡＲＥＲ  ＲＥＬＥＡＳＥ”（ステップＳ８）が送信され、ＵＥ２０から当該サービスの脱会を示す“ＬＥＡＶＩＮＧ  ”（ステップＳ９）が送信されて、処理終了となる。
【０００７】
このような、図６に示した手順は、概略を示すものであるが、その詳細な手順は、３ＧＰＰ（ＴＨＩＲＤ  ＧＥＮＥＲＡＴＩＯＮ  ＰＥＲＴＮＥＲＳＨＩＰ  ＰＲＯＪＥＣＴ）の勧告（非特許文献１）に開示されている。
【０００８】
このようなＭＢＭＳにおいては、ＲＮＣがその配下のセルで、サービスデータを、各ＵＥに対して、ＰｔＰ（Ｐｏｉｎｔ  ｔｏ  Ｐｏｉｎｔ：一対一）方式または、ＰｔＭ（Ｐｏｉｎｔ  ｔｏ  Ｍｕｌｔｉｐｏｉｎｔ  ：一対多）方式で転送するが、このＰｔＰ方式とするか、ＰｔＭ方式とするかは、そのセル内に存在する当該サービスにジョイントし、サービスデータを受信予定のＵＥの数により定まるようになっている（非特許文献１参照）。すなわち、ＵＥの数がある一定値（閾値）以上になると、送信電力を節約する観点から、ＲＮＣはＰｔＭ方式でサービスデータを配信し、逆にＵＥの数が閾値を下まわると、ＰｔＰ方式でサービスデータを配信するのである。
【０００９】
【非特許文献１】
３ＧＰＰ勧告のＴＲ２３．８４６ｖｅｒｓｉｏｎ６．０．０、第６．１２章
【００１０】
【発明が解決しようとする課題】
ＵＥがＭＢＭＳのサービスにジョイント（図６のステップＳ３）した後、実際にサービスデータを受信できる（ステップＳ７）までの間、しばらく時間があり、この間に、ＵＥのＲＮＣ間移動が発生する場合がある。すなわち、図５では、ＵＥ２０がＲＮＣ４の配下のＮｏｄｅＢ７のセル１０に在圏中に、ＭＢＭＳのサービスジョイントを行い、サービスデータを受信する前に、ＲＮＣ５の配下のＮｏｄｅＢ８のセル１１に移動することがある。
【００１１】
かかる場合、ＵＥ２０は、移動先のＲＮＣ５に対して、予め定めらた信号を用いて、当該移動先ＲＮＣ５の配下のセル１１へ移動してきたことを報告するようになっているので、この移動先ＲＮＣ５はＵＥ２０が移動してきたことを知ることが可能である。しかしながら、現状のシステムにおいては、移動元のＲＮＣ４は、当該ＵＥ２０が配下のセル１０から離れたことを知る手段がない。
【００１２】
上述したように、ＲＮＣでは、ＭＢＭＳのサービスデータを配信するに際して、サービスデータを受信予定のＵＥの数に依存して、ＰｔＰ方式かＰｔＭ方式の決定がなされるのであるから、ＲＮＣは当該ＵＥの数を把握することが必要になるが、移動元ＲＮＣはそれを知ることができないという問題がある。
【００１３】
本発明の目的は、ＵＥのＲＮＣ間移動が発生しても、正確にＭＢＭＳサービスのデータ受信予定のＵＥ数を把握することが可能な移動通信システム及びそれに用いる無線端末並びに無線制御装置及びその動作制御方法を提供することである。
【００１４】
【課題を解決するための手段】
本発明による移動通信システムは、同一サービスのデータを複数の無線端末へ配信する機能を有する移動通信システムであって、サービスに加入した無線端末の無線制御装置間移動に伴って、移動先無線制御装置から移動元無線制御装置へ前記無線端末の移動を報告するようにしたことを特徴とする。
【００１５】
本発明による無線制御装置は、同一サービスのデータを複数の無線端末へ配信する機能を有する移動通信システムにおける無線制御装置であって、サービスに加入した無線端末が配下のセルへ移動してきたとき、移動元無線制御装置へ前記無線端末の移動を報告する手段を含むことを特徴とする。
【００１６】
本発明による動作制御方法は、同一サービスのデータを複数の無線端末へ配信する機能を有する移動通信システムにおける無線制御装置の動作制御方法であって、サービスに加入した無線端末が配下のセルへ移動してきたとき、移動元無線制御装置へ前記無線端末の移動を報告するステップを含むことを特徴とする。
【００１７】
本発明による無線端末は、同一サービスのデータを複数ユーザへ配信する機能を有する移動通信システムにおける無線端末であって、サービス加入後における無線制御装置間移動に応答して、移動元の無線制御装置を特定する識別情報を、移動先無線制御装置へ送信する手段を含むことを特徴とする。
【００１８】
本発明によるプログラムは、同一サービスのデータを複数の無線端末へ配信する機能を有する移動通信システムにおける無線制御装置の動作制御方法をコンピュータにより実行させるためのプログラムであって、サービスに加入した無線端末が配下のセルへ移動してきたとき、移動元無線制御装置へ前記無線端末の移動を報告するステップを含むことを特徴とする。
【００１９】
本発明の作用を述べる。音声や画像等の大容量コンテンツを有するＭＢＭＳサービスデータ（同一データ）を複数の無線端末へ配信するようなＭＢＭＳ機能を有する移動通信システムにおいて、無線端末が当該サービスへジョイント（サービスへの加入）を行ってから、実際にサービスデータ受信を行うまでの間に、無線制御装置間移動が発生した場合、当該無線端末から移動先無線制御装置に対して、少なくとも移動元無線制御装置を特定するための識別情報を通知する。そして、移動先無線制御装置では、この通知された識別情報で特定される無線制御装置へ、当該無線端末がセルを離脱したことを知らせるようにする。
【００２０】
これにより、移動元無線制御装置のみならず移動先無線制御装置は、当該サービスを受ける無線端末の数を正確に把握可能となり、ＰｔＰ方式とするかＰｔＭ方式とするかの決定が、正確に行えることになる。
【００２１】
【発明の実施の形態】
以下に、本発明の実施の形態を図面を参照しつつ説明する。図１は本発明の実施の形態におけるＲＮＣ（無線制御装置）の概略機能ブロック図であり、図５のシステム図において、ＵＥ２０がＲＮＣ間移動を行う場合の移動先ＲＮＣであるものとする。図１を参照すると、ＵＥ（無線端末）移動元への報告部４０は、図５に示したＵＥ２０のＲＮＣ間移動に伴って、当該ＵＥから報告される信号に基づいて、移動元ＲＮＣへその旨報告する機能を有する。ＵＥ数計数部４１は、配下のセルに在圏する同一サービスを受けるＵＥの数を計数する機能を有している。
【００２２】
ＰｔＰ／ＰｔＭ判定部４２は、ＵＥ計数部４１の計数内容に応じて、ＭＢＭＳサービスデータの配信方式をＰｔＰ方式とするかＰｔＭ方式とするかの判定をなす機能を有する。ＲＢ設定部４３は、ＰｔＰ／ＰｔＭ判定部４２で判定に従ってＭＢＭＳサービスデータの配信のためのベアラ設定をなす機能を有している。通信部４４は配下のＮｏｄｅＢや上位のＳＧＳＮ３，ＧＧＳＮ２を介してＢＭＳＣ１との通信をなすと共に、ＲＮＣ間インタフェースＩｕｒを介して他のＲＮＣ（４）との間の通信をなす機能を有する。
【００２３】
制御部４５はＣＰＵ（中央処理装置：コンピュータ）であり、またメモリ４６は、当該ＣＰＵの動作手順をプログラムとして予め格納したＲＯＭと、ＣＰＵの作業用メモリであるＲＡＭとを有しており、このＣＰＵにより各部４０〜４４の制御が当該プログラムに従って実行される。なお、４７は共通バスである。
【００２４】
図２は本発明の第一の実施の形態の動作手順を示すシーケンス図であり、図５に示したＵＥ２０と、移動先ＲＮＣ５と、移動元ＲＮＣ４との間の動作シーケンス図である。本実施の形態での前提として、ＵＥ２０がＭＢＭＳサービスにジョイントした後、実際にサービスデータを受信できるまでの間（アイドルモードまたは待ち受け状態）に、当該ＵＥがＲＮＣ４の配下のセル１０からＲＮＣ５の配下のセル１１へ移動したものとし、移動先のセル１１では、未だＭＢＭＳの無線ベアラが設定されておらず、またそのＵＥに何等無線ベアラが設定されていないものとする。
【００２５】
ＵＥ２０がＲＮＣ間移動によりセル１０からセル１１へ移動すると、ＵＥ２０はその旨を知らせるためのメッセージである“ＭＢＭＳ  Ｍｏｂｉｌｉｔｙ  Ｕｐｄａｔｅ”を、移動先ＲＮＣ５へ送信する（ステップＳ１１）。このメッセージには、ＭＢＭＳサービスを特定するための“ＭＢＭＳ  Ｓｅｒｖｉｃｅ  ＩＤ  ”と、ＵＥ２０を特定するための“ＵＥＩＤ  ”と、移動元ＲＮＣを特定するための“ＲＮＣ  ＩＤ”とを含んでいるものとする。この報告を受けたＲＮＣ５は、ＵＥ計数部４１により、ＭＢＭＳサービスを受けるＵＥの数を“１”だけカウントアップする（ステップＳ１２）。
【００２６】
同時に、ＲＮＣ５は、ＵＥ移動元への報告部４０により、移動元ＲＮＣ４に対して、ＵＥ２０がセルを離脱した旨を知らせるメッセージを、Ｉｕｒインタフェースを介して送信する（ステップＳ１３）。このメッセージには、ＭＢＭＳサービスを特定するための“ＭＢＭＳ  Ｓｅｒｖｉｃｅ  ＩＤ  ”と、ＵＥ２０を特定するための“ＵＥＩＤ  ”とを含んでいるものとする。この報告を受けたＲＮＣ４は、ＵＥ計数部４１により、ＭＢＭＳサービスを受けるＵＥの数を“１”だけカウントダウンする（ステップＳ１４）。移動先ＲＮＣ５では、ＵＥ２０に対して、確認のためのメッセージである“ＭＢＭＳ  Ｍｏｂｉｌｉｔｙ  Ｕｐｄａｔｅ  Ｃｏｎｆｉｒｍ”を送信する（ステップＳ１５）。このメッセージには、“ＭＢＭＳ  Ｓｅｒｖｉｃｅ  ＩＤ  ”と“ＵＥ  ＩＤ  ”とが含まれる。
【００２７】
図３は本発明の第二の実施の形態の動作手順を示すシーケンス図であり、図５に示したＵＥ２０と、移動先ＲＮＣ５と、移動元ＲＮＣ４との間の動作シーケンス図である。本実施の形態での前提として、ＵＥ２０がＭＢＭＳサービスにジョイントした後、実際にサービスデータを受信できるまでの間に、当該ＵＥがＲＮＣ４の配下のセル１０からＲＮＣ５の配下のセル１１へ移動したものとし、移動先のセル１１では、既にＰｔＭ方式により、ＭＢＭＳサービスのデータが送信されているものとする。
【００２８】
本例では、先の実施の形態における図２のシーケンスのステップＳ１１〜Ｓ１５までは、同一であり、その後に、ＲＮＣ５から、当該ＵＥ２０に対するＭＢＭＳサービスのためのＲＢ（無線ベアラ）のセットアップのためのメッセージが送信される（ステップＳ１６）。このメッセージには、“ＭＢＭＳ  Ｓｅｒｖｉｃｅ  ＩＤ  ”と“ＵＥ  ＩＤ  ”と“ＭＢＭＳ  ＲＢ  ｐａｒａｍｅｔｅｒ  ”とが含まれている。“ＭＢＭＳ  ＲＢ  ｐａｒａｍｅｔｅｒ  ”は、当該無線ベアラのチャネルを示す情報である。これにより、ＵＥ２０はＭＢＭＳサービスデータが配信される共通チャネルに接続することができ、当該サービスの享受が可能となる。
【００２９】
図４は本発明の第三の実施の形態の動作手順を示すシーケンス図であり、図５に示したＵＥ２０と、移動先ＲＮＣ５と、移動元ＲＮＣ４との間の動作シーケンス図である。本実施の形態での前提として、ＵＥ２０がＭＢＭＳサービスにジョイントした後、実際にサービスデータを受信できるまでの間に、当該ＵＥがＲＮＣ４の配下のセル１０からＲＮＣ５の配下のセル１１へ移動したものとし、移動先のセル１１では、既にＰｔＰ方式により、ＭＢＭＳサービスのデータが送信されているものとする。
【００３０】
本例では、第一の実施の形態における図２のシーケンスのステップＳ１１〜Ｓ１５までは、同一であり、その後に、ＲＮＣ５におけるＰｔＰ／ＰｔＭ判定部４２において、ＰｔＰ／ＰｔＭの方式の判定がなされる。この判定方法は、先述したようにＵＥの数に依存するものであるから、ＵＥの数（ＵＥ計数部４１の計数値）と閾値との比較がなされる。ＵＥの数が閾値より小であれば（ステップＳ１７で“Ｙ”）、ＰｔＰ方式が維持されＵＥ毎の個別チャネルでのサービスデータの配信が行われる。そのために、ＵＥ２０に対しても、ＰｔＰ方式でのデータ配信がなされるように、ＲＮＣ５のＲＢ設定部４３から“ＲＢ  Ｓｅｔｕｐ”メッセージが送信される（ステップＳ１８）。このメッセージには、当該無線ベアラのチャネルを示すパラメータが含まれる。
【００３１】
ステップＳ１７において、ＵＥの数が閾値以上であれば、ＰｔＰからＰｔＭの切替えが、ＲＢ設定部４３で行われ（ステップＳ１９）、当該ＵＥ２０に対するＭＢＭＳサービスのためのＲＢ（無線ベアラ）のセットアップのためのメッセージが送信される（ステップＳ２０）。このメッセージには、“ＭＢＭＳ  Ｓｅｒｖｉｃｅ  ＩＤ  ”と“ＵＥ  ＩＤ  ”と“ＭＢＭＳ  ＲＢ  ｐａｒａｍｅｔｅｒ  ”とが含まれている。“ＭＢＭＳ  ＲＢ  ｐａｒａｍｅｔｅｒ  ”は、当該無線ベアラのチャネルを示す情報である。これにより、ＵＥ２０はＭＢＭＳサービスデータが配信される共通チャネルに接続することができ、当該サービスの享受が可能となる。同一サービスを享受している他のＵＥに対しても、ＰｔＰである個別チャネルからＰｔＭである共通チャネルへ切替わったことを示すメッセージが送信されることは勿論である。
【００３２】
【発明の効果】
以上述べたように、本発明によれば、移動元及び移動先の両ＲＮＣが、ＵＥのセル離脱及びセル入圏を知ることが可能となり、よって、ＭＢＭＳサービスデータの配信のための無線ベアラのＰｔＰ／ＰｔＭの方式切替えが適切になされるという効果がある。
【図面の簡単な説明】
【図１】本発明の実施の形態に適用されるＲＮＣ（無線制御装置）の機能ブロック図である。
【図２】本発明の第一の実施の形態の動作シーケンス図である。
【図３】本発明の第二の実施の形態の動作シーケンス図である。
【図４】本発明の第三の実施の形態の動作シーケンス図である。
【図５】本発明が適用される移動通信システムの概略図である。
【図６】ＭＢＭＳサービスの動作シーケンス図である。
【符号の説明】
１  ＢＭＳＣ（Ｂｒｏａｄｃａｓｔ  Ｍｕｌｔｉｃａｓｔ  Ｓｅｒｖｉｃｅ  Ｃｅｎｔｅｒ）
２  ＧＧＳＮ（Ｇａｔｅｗａｙ  ＧＰＲＳ（Ｇｅｎｅｒａｌ  Ｐａｃｋｅｔ  Ｓｅｒｖｉｃｅ）Ｓｕｐｐｏｒｔ  Ｎｏｄｅ）
３  ＳＧＳＮ（Ｓｅｒｖｉｎｇ  ＧＰＲＳ  Ｓｕｐｐｏｒｔ  Ｎｏｄｅ  ）
４，５  ＲＮＣ（Ｒａｄｉｏ  Ｎｅｔｗｏｒｋ  Ｃｏｎｔｒｏｌｌｅｒ：無線制御装置）
６〜８  ＮｏｄｅＢ（無線基地局）
９〜１１  セル
２０  ＵＥ（無線端末）
３０  ＩＰ網
４０  ＵＥ移動元への報告部
４１  ＵＥ数計数部
４２  ＰｔＰ／ＰｔＭ判定部
４３  ＲＢ（無線ベアラ）設定部
４４  通信部
４５  制御部（ＣＰＵ）
４６  メモリ
４７  バス
【図１】
2004221758.tif 000003
【図２】
2004221758.tif 000004
【図３】
2004221758.tif 000005
【図４】
2004221758.tif 000006
【図５】
2004221758.tif 000007
【図６】
2004221758.tif 000008